(57)【要約】【課題】  セミの産卵による被害を極力低減させ、かつ外被の剥離作業を容易とする光ファイバケーブルを提供することを課題とする。【解決手段】  一平面１Ａ内で光ファイバ心線２と該光ファイバ心線に平行に配された抗張力線３とを有し、該光ファイバ心線と抗張力線が一つの外被４により被覆され、該外被が上記一平面１Ａに平行な一対の外側面４Ａを有し、該外側面に光ファイバ心線の軸線方向へ延びる外被切り裂き用の切欠溝５が形成されている光ファイバケーブルにおいて、切欠溝５は、上記軸線に対して垂直な断面にて、上記外側面４Ａにおける開口部５Ａから上記一平面１Ａに対して直角もしくは光ファイバ心線２から遠ざかる方向で外被内方へ延びた後に屈曲されて光ファイバ心線２に近づくように延びている。【選択図】  図１
2007272006.tif 000002
【特許請求の範囲】
【請求項１】
一平面内で光ファイバ心線と該光ファイバ心線に平行に配された抗張力線とを有し、該光ファイバ心線と抗張力線が一つの外被により被覆され、該外被が上記一平面に平行な一対の外側面を有し、該外側面に光ファイバ心線の軸線方向へ延びる外被切り裂き用の切欠溝が形成されている光ファイバケーブルにおいて、切欠溝は、上記軸線に対して垂直な断面にて、上記外側面における開口部から上記一平面に対して直角もしくは光ファイバ心線から遠ざかる方向で外被内方へ延びた後に屈曲されて光ファイバ心線に近づくように延びていることを特徴とする光ファイバケーブル。
【請求項２】
切欠溝は溝内部が開口部よりも溝幅が小さいこととする請求項１に記載の光ファイバケーブル。
【発明の詳細な説明】
【技術分野】
【０００１】
本発明は、光ファイバケーブル、特に、光ファイバ心線と抗張力線が一つの外被により被覆され、この外被の外側面に外被の切り裂き用の切欠溝が形成されている光ファイバケーブルに関する。
【背景技術】
【０００２】
架空光ファイバケーブルから各家庭やオフィスに引き込むケーブルは、引き落としケーブル（ドロップケーブル）と称されている。
【０００３】
通常、ドロップケーブルは単心ないし複数心の光ファイバ心線と、これを挟むようにして平行に位置する抗張力体を外被で被覆した構造となっている。ケーブルを機器に接続する際に、内部の光ファイバ心線を取り出し易くするために、被覆外周面には、光ファイバ心線の直上位置に、ケーブル長手方向に延びる断面Ｖ字形の切り裂き用の切欠溝（ノッチ）が形成されている。
【０００４】
一方、敷設されたこのようなケーブルに対してセミが産卵行動することにより内部の光ファイバ心線が断線するケースが多発している。
【０００５】
特に、上記切欠溝の深部で産卵管が外被に突き刺されると光ファイバ心線までの距離が短いために、あるいは外被を切り裂きやすくするために切欠溝が開口部から光ファイバ心線に向けて延びているために、産卵管が光ファイバ心線にまで届いてしまって、この産卵管で光ファイバ心線を損傷する危険が高い。
【０００６】
そこで、特許文献１では、添付図面の図４に示されるごとく、ケーブル外被５１の外周面に開口して設けられる切欠溝５２を、光ファイバ心線５３とこれを挟むように該光ファイバ心線と平行に位置する抗張力体５４とを含む平面に平行な外被外側面５５における位置で、切欠溝５２の最深部５２Ａが光ファイバ心線５３の位置からずらされているようにすることが提案されている。
【０００７】
特許文献１によると、上記切欠溝の最深部直下に光ファイバ心線５３が位置しないようにして、切欠溝へセミの産卵管が突き刺されたとしても、産卵管が光ファイバ心線５３に外傷を与える虞れを低減させるようにしている。
【特許文献１】特開２００２−０９０５９３
【発明の開示】
【発明が解決しようとする課題】
【０００８】
特許文献１によるケーブルでは、切欠溝の開口位置を光ファイバ心線の直上位置（光ファイバ心線から最も近い位置）からずらしているので産卵管が光ファイバ心線を損傷する危険は低減される。
【０００９】
しかしながら、一方では、光ファイバケーブルは、接続時に、光ファイバ心線を被覆内部から取り出す作業を容易とするためには、切欠溝の位置は光ファイバ心線の位置に近い方が望ましい。したがって、かかる事情を考慮すると、上記切欠溝は光ファイバ心線の位置からあまり遠くすることもできない。特許文献１では、切欠溝の最深部は光ファイバ心線位置から外れてはいるが、外被の剥離容易性を考慮して可能な限り心線位置の近傍に位置するため、上記損傷の可能性に対して、十分に安全であると言えるほど離間はされいない。
【００１０】
また、上記特許文献１の切欠溝に対称なＶ字状に形成されているので産卵管は外被の外側面に対して直角方向に突き刺さる可能性が高く、その結果、光ファイバ心線の近傍に突き刺さることになるので、この点でも十分に安全とは言い難い。
【００１１】
本発明は、このような事情に鑑み、セミの産卵による被害を極力低減させ、しかも、外被の剥離作業を容易とする外被をもった光ファイバケーブルを提供することを課題とする。
【課題を解決するための手段】
【００１２】
本発明に係る光ファイバケーブルは、一平面内で光ファイバ心線と該光ファイバ心線に平行に配された抗張力線とを有し、該光ファイバ心線と抗張力線が一つの外被により被覆され、該外被が上記一平面に平行な一対の外側面を有し、該外側面に光ファイバ心線の軸線方向へ延びる外被切り裂き用の切欠溝が形成されている。
【００１３】
かかる光ファイバケーブルにおいて、本発明では、切欠溝は、上記軸線に対して垂直な断面にて、上記外側面における開口部から上記一平面に対して直角もしくは光ファイバ心線から遠ざかる方向で外被内方へ延びた後に屈曲されて光ファイバ心線に近づくように延びていることを特徴としている。
【００１４】
このような構成の本発明の光ファイバケーブルでは、切欠溝の開口部が光ファイバ心線から遠く位置させることができ、しかも開口部が外被の外側面近傍では上記一平面に対して直角もしくは光ファイバ心線から遠ざかるように向いているので、セミが開口部で産卵管を外被に突き刺しても、その位置が光ファイバ心線から離れておりそしてその向きが光ファイバ心線方向ではないので、光ファイバ心線を損傷する虞れがない。さらに、上記切欠溝は、外被の内部で、向きを変えて屈曲された後に光ファイバ心線に近づいているので、外被の剥離作業が容易に行われる。
【００１５】
本発明において、切欠溝は溝内部が開口部よりも溝幅が小さいことが好ましい。溝内部の溝幅が狭くなっていることで、セミ自体が溝内部に入ることが防止される。また、外被の剥離のためには溝内部の溝幅は狭くても何ら支障なく、剥離容易性を確保できる。
【発明の効果】
【００１６】
本発明は、切欠溝の開口部を光ファイバ心線位置から遠く離間すると共に、開口部が、光ファイバ心線と抗張力線とを含む一平面と平行な外被の外側面に対して直角に延びた後に屈曲して光ファイバ心線に近づくように形成することとしたので、セミが産卵管を突き刺しても、光ファイバ心線を傷つけることがなくなる。セミが切欠溝の深部に産卵管を突き刺しても、この場合、産卵管は光ファイバ心線から遠い位置で刺されることとなり、しかもその向きが外被に対して直角であって光ファイバ心線に向く方向とならず、セミが産卵管を突き刺す方向を上記一平面に直角な方向に誘導するので光ファイバ心線を傷めることがない。また、仮に、セミが切欠溝の開口部でなく光ファイバ心線に最も近い直上位置で産卵管を突き刺しても、この直上位置の内部は厚く外被で覆われているので、光ファイバ心線までは十分に距離があり、光ファイバ心線が損傷することはない。さらには、本発明では、切欠溝が光ファイバ心線に向けて延びていて、切欠溝を光ファイバ心線の直上位置まで延ばすことができるので外被を切り裂いて光ファイバ心線を露呈させる作業が容易にできる。
【発明を実施するための最良の形態】
【００１７】
以下、添付図面の図１及び図２にもとづき、本発明の実施の形態を説明する。
【００１８】
図１において紙面に垂直な方向に長く延びる光ファイバケーブル１は、二本（二心）の光ファイバ心線２と、これを挟むように位置する二本の抗張力線３とを有し、これらの光ファイバ心線２と抗張力線３は電気絶縁材に成る外被４により覆われて保護かつ支持されている。上記光ファイバ心線２と抗張力線３はそれらの軸線が一平面１Ａ上に位置するように配置されている。
【００１９】
上記抗張力線としては、例えば、鉄線、鋼線さらにはＦＲＰ等が使用され、外被材料としては、例えば、ポリエチレンやＰＶＣ（ポリ塩化ビニル）等が使用される。
【００２０】
上記外被４は、光ファイバ心線２そして抗張力線３の軸線に垂直な断面での外形が、図１に見られるように、上記一平面１Ａに平行な外側面４Ａと、これと直角な外端面４Ｂとで形成される矩形状をなしている。光ファイバ心線２と抗張力線３が上記一平面１Ａ上に配されている関係上、図１において、これと平行な外側面４Ａの方が外端面４Ｂよりも長い。
【００２１】
上記外被４には、上記外側面４Ａに開口部５Ａを有する切欠溝５が紙面に垂直方向に延びて形成されている。この切欠溝５は、図１にて、矩形断面の対角線上に位置する二箇所に設けられている。
【００２２】
この切欠溝５は、開口部５Ａが外側面４Ａの端部寄り、すなわち外端面４Ｂ寄りの心線位置からできるだけ離れて位置しており、外側面４Ａに対して直角方向に延び、その後、直角に屈曲して溝内部５Ｂが光ファイバ心線２の方へ向いて延びている。
【００２３】
溝内部５Ｂの先端は上記光ファイバ心線２の直上まで達している。切欠溝５の溝幅は、本実施形態では、好ましい形態として、開口部５Ａよりも狭くなっている。
【００２４】
このような光ファイバケーブル１は、使用の際、光ファイバ心線２の接続のために、作業者が上記切欠溝５の溝内部５Ｂが光ファイバ心線２に至るように切り裂いて、該光ファイバ心線２を露出せしめ、これを所定のケーブルや機器に接続する。
【００２５】
また、上記光ファイバケーブル１が電柱等で空中に架設されたときには、セミ、特にクマゼミによる被害を受けることがある。クマゼミは、光ファイバケーブルに留まって、産卵をすることが、しばしばある。産卵管は光ファイバケーブルの外被４内に刺し込まれる。
【００２６】
本実施形態の光ファイバケーブル１では、クマゼミは、留まりやすい開口部５Ａにて産卵管を突き刺すことが考えられる。開口部５Ａは外被４の外側面４Ａ端部寄りに位置しているので、光ファイバ心線２から遠く離れていて産卵管は光ファイバ心線２に届かない。これに加え、開口部５Ａは上記一平面１Ａに対して直角方向に延びているので、産卵管もこの方向に刺し込まれるように誘導されるため、産卵管は光ファイバ心線の方へ向くことがない。この点からも光ファイバ心線２が産卵管によって損傷されることがなくなる。仮に、図３のように単に光ファイバ心線から最も遠い、という理由から、図３に示されるように、外端面４Ｂに開口部が位置するように切欠溝を設けると、開口部は外端面４Ｂに対して直角方向、すなわち、光ファイバ心線の方に向いてしまうので、産卵管がその方向に向いてしまい、好ましくない。したがって開口部の位置は、本実施形態のごとく、外側面４Ａにあって、光ファイバ心線からなるべく遠い位置にあるのが良い。
【００２７】
さらに、本実施形態では、好ましい形態として、溝内部５Ａが開口部５Ａよりも溝幅が狭くなっているので、クマゼミがその体を溝内部５Ｂ内に入り込ませることもない。したがって、クマゼミは上記開口部５Ａで産卵することとなる。
【００２８】
仮に、クマゼミが外被４の外側面４Ａ上で、光ファイバ心線２に最も近い位置、すなわち、図１にて光ファイバ心線２の直上位置に留まったとしても、上記外側面４Ａは開口していないので、上記外側面４Ａから光ファイバ心線２までは十分に距離があるために、産卵管は光ファイバ心線２には届かない。
【００２９】
本実施形態では、切欠溝５は図１にて実線で示された位置そして形態には限定されなく、種々変更が可能である。例えば、切欠溝５は、図にて対角線の位置でなく左右方向で同じ側に設けてもよい。右上部にて実線で示された切欠溝５と右下部で二点鎖線で示された切欠溝５’とで成っていてもよい。また、左下部に二点鎖線で示されている切欠溝５”のように溝内部５”Ｂを直角に屈曲するのではなく光ファイバ心線２の方に傾けてもよい。
【００３０】
さらには、例えば、図１の右上部に示されている切欠溝５の開口部５Ａを外側面４Ａに対して直角に延ばさずに、光ファイバ心線２から一旦遠ざかる方向に傾いて形成されていてもよい。この場合も、溝内部は、５Ｂや５”Ｂで示されるように屈曲して延ばすことができる。
【００３１】
本発明は、光ファイバ心線が、図１にて図示した二心に限定されず、単心でも、三心以上の複数心線でもよく、複数心線の場合、図２のごとく、複数の心線をテープでまとめたテープ心線２’であってもよい。
【図面の簡単な説明】
【００３２】
【図１】本発明の一実施形態の光ファイバケーブルの軸線に直角な面での断面図である。
【図２】他の実施形態の光ファイバケーブルの断面図である。
【図３】本発明と対比される好ましくない形態を示す光ファイバケーブルの断面図である。
【図４】従来の光ファイバケーブルの断面図である。
【符号の説明】
【００３３】
１  光ファイバケーブル
１Ａ  一平面
２  光ファイバ心線
３  抗張力線
４  外被
４Ａ  外側面
５  切欠溝
５Ａ  開口部
５Ｂ  溝内部
【図１】
2007272006.tif 000003
【図２】
2007272006.tif 000004
【図３】
2007272006.tif 000005
【図４】
2007272006.tif 000006